(57)【要約】【課題】互いに結合する結合器の片方の中心位置がオフセットまたは片方の結合器の向きが回転した場合においても安定的に強く結合する結合器を提供する。【解決手段】結合器１００は、ＧＮＤ基板上で多角形の第１の頂点に対応する位置に配置される給電点１０１と、ＧＮＤ基板上で多角形の第２の頂点に対応する位置に配置される短絡点１０２と、給電点１０１から多角形の重心に向かって延長される線路１０３と、短絡点１０２から多角形の重心に向かって延長される線路１０４と、線路１０３及び線路１０４の合流点１０５から延長される線路１０６とを具備する。【選択図】図１５
2011120117.tif 000002
【特許請求の範囲】
【請求項１】
ＧＮＤ基板上で多角形の第１の頂点に対応する位置に配置される給電点と、
前記ＧＮＤ基板上で前記多角形の第２の頂点に対応する位置に配置される短絡点と、
前記給電点から前記多角形の重心に向かって延長される第１の線路と、
前記短絡点から前記多角形の重心に向かって延長される第２の線路と、
前記第１の線路及び前記第２の線路の合流点から延長される第３の線路と
を具備する結合器。
【請求項２】
前記第１の線路の電気長及び前記第３の線路の電気長の和は、前記結合器の搬送波の１／４波長の整数倍に略等しく、
前記第２の線路の電気長及び前記第３の線路の電気長の和は、前記搬送波の１／４波長の整数倍に略等しい、
請求項１記載の結合器。
【請求項３】
前記第３の線路の前記合流点と反対側の先端から分岐して延長される複数の第４の線路を更に具備し、
前記第１の線路の電気長、前記第３の線路の電気長及び前記複数の第４の線路の各々の電気長の和は、いずれも前記結合器の搬送波の１／４波長の整数倍に略等しく、
前記第２の線路の電気長、前記第３の線路の電気長及び前記複数の第４の線路の各々の電気長の和は、いずれも前記搬送波の１／４波長の整数倍に略等しい、
請求項１記載の結合器。
【請求項４】
前記短絡点及び前記給電点は、前記第３の線路に関して対称に配置される、請求項１記載の結合器。
【請求項５】
ＧＮＤ基板上で多角形の１つの頂点に対応する位置に配置される給電点と、
前記ＧＮＤ基板上で前記多角形のその他の頂点に対応する位置に配置される複数の短絡点と、
前記給電点から前記多角形の重心に向かって延長される第１の線路と、
前記複数の短絡点から前記多角形の重心に向かって延長される複数の第２の線路と、
前記第１の線路及び前記複数の第２の線路の合流点から延長される複数の第３の線路と
を具備する結合器。
【請求項６】
請求項１記載の結合器と、
ベースバンドの送信信号を前記結合器から送信される無線送信信号にアップコンバートし、前記結合器から受信された無線受信信号をベースバンドの受信信号にダウンコンバートする無線部と、
前記ベースバンドの送信信号及び前記ベースバンドの受信信号に対して信号処理を行う信号処理部と
を具備する無線通信装置。
【発明の詳細な説明】
【技術分野】
【０００１】
本発明は、磁界結合型の結合器に関する。
【背景技術】
【０００２】
近年、Bluetooth（登録商標）などの近距離無線通信手段に比べて通信距離の更に短い、超近距離無線通信手段が提案されつつある。このような超近距離無線通信手段の１つとして、TransferJet（登録商標）が挙げられる。TransferJetは、送受用の結合器対を互いに近接させることにより、通信を実現する。TransferJetは、数cm程度の通信距離が想定されており、セキュリティ面などにおいて様々なメリットを持つ。また、TransferJetは、伝送速度が高く（最大数百Mbps）、コンテンツなどの大容量データの伝送に適している。
【０００３】
特許文献１及び特許文献２には、電界結合型の結合器が提案されている。これらの電界結合型の結合器は、電極とインピーダンス調整用のスタブとを備える。また、従来、様々な共振結合器が非特許文献１などにおいて提案されており、主にフィルタとして利用されている。
【先行技術文献】
【特許文献】
【０００４】
【特許文献１】特開２００８−１５４２６７号公報
【特許文献２】特開２００８−９９２３６号公報
【非特許文献】
【０００５】
【非特許文献１】「マイクロ波誘電体フィルタ」，初版，電子情報通信学会，小林禧夫/鈴木康夫/古神義則共著
【発明の概要】
【発明が解決しようとする課題】
【０００６】
特許文献１及び特許文献２の電界結合型の結合器は、スタブを備えるために厚みを必要とするため低背化が困難である。一方、従来の共振結合器を超近距離無線手段における磁界結合型の結合器として利用した場合には、結合器のオフセット（互いの結合器の中心がずれた）時または片方の結合器の向きが変更（回転）した際に結合が弱くなり、通信品質が劣化する可能性がある。
【０００７】
従って、本発明は、オフセット時または回転時においても安定的に強く結合する結合器を提供することを目的とする。
【課題を解決するための手段】
【０００８】
本発明の一態様に係る結合器は、ＧＮＤ基板上で多角形の第１の頂点に対応する位置に配置される給電点と、前記ＧＮＤ基板上で前記多角形の第２の頂点に対応する位置に配置される短絡点と、前記給電点から前記多角形の重心に向かって延長される第１の線路と、前記短絡点から前記多角形の重心に向かって延長される第２の線路と、前記第１の線路及び前記第２の線路の合流点から延長される第３の線路とを具備する。
【０００９】
本発明の他の態様に係る結合器は、ＧＮＤ基板上で多角形の１つの頂点に対応する位置に配置される給電点と、前記ＧＮＤ基板上で前記多角形のその他の頂点に対応する位置に配置される複数の短絡点と、前記給電点から前記多角形の重心に向かって延長される第１の線路と、前記複数の短絡点から前記多角形の重心に向かって延長される複数の第２の線路と、前記第１の線路及び前記複数の第２の線路の合流点から延長される複数の第３の線路とを具備する。
【発明の効果】
【００１０】
従って、本発明は、オフセット時または回転時においても安定的に強く結合する結合器を提供することを目的とする。
【図面の簡単な説明】
【００１１】
【図１】結合器対の形状及び配置の一例を示す図。
【図２】結合器対の形状及び配置の一例を示す図。
【図３】結合器対の形状及び配置の一例を示す図。
【図４】結合器対の形状及び配置の一例を示す図。
【図５】図１、図２、図３及び図４に対応するＳ２１パラメータを示すグラフ。
【図６】結合器対の形状及び配置の一例を示す図。
【図７】結合器対の形状及び配置の一例を示す図。
【図８】図１、図６及び図７に対応するＳ２１パラメータを示すグラフ。
【図９】結合器対の形状及び配置の一例を示す図。
【図１０】結合器対の形状及び配置の一例を示す図。
【図１１】図１、図９及び図１０に対応するＳ２１パラメータを示すグラフ。
【図１２】結合器対の形状及び配置の一例を示す図。
【図１３】結合器対の形状及び配置の一例を示す図。
【図１４】図６、図２、図１２及び図１３に対応するＳ２１パラメータを示すグラフ。
【図１５】一実施形態に係る結合器の一例を示す図。
【図１６】一実施形態に係る結合器及びＧＮＤ基板の斜視図。
【図１７】図１５の結合器の電流分布を示す図。
【図１８】オフセット時における、図１５と同一形状の結合器対の結合を概念的に示す図。
【図１９】オフセット時における、結合器対の結合のシミュレーション条件を示す図。
【図２０】オフセット時における、図１５と同一形状の結合器対のＳ２１パラメータを示すグラフ。
【図２１】回転時における、結合器対の結合のシミュレーション条件を示す図。
【図２２】回転時における、図１５と同一形状の結合器対のＳ２１パラメータを示すグラフ。
【図２３】一実施形態に係る結合器の一例を示す図。
【図２４】オフセット時における、図２３と同一形状の結合器対の間の結合を概念的に示す図。
【図２５】オフセット時における、図１５と同一形状の結合器対のＳ２１パラメータと、オフセット時における、図２３と同一形状の結合器対のＳ２１パラメータとを示すグラフ。
【図２６Ａ】図１５の結合器の変形例を示す図。
【図２６Ｂ】図１５の結合器の変形例を示す図。
【図２６Ｃ】図１５の結合器の変形例を示す図。
【図２６Ｄ】図１５の結合器の変形例を示す図。
【図２７】一実施形態に係る結合器を用いた無線通信装置を示すブロック図。
【発明を実施するための形態】
【００１２】
以下、図面を参照して、本発明の実施形態について説明する。  
（一実施形態）  
超近距離無線通信手段の利用時には、送受用の結合器対を互いに近接させる必要がある。通常、一方または両方の結合器を使用者が手動で位置決めする。故に、送受用の結合器対は常に理想的な位置関係で結合できるとは限らない。例えば、一方の結合器が他方の結合器に対してオフセットした状態または回転した状態で配置されることもある。以下、様々な形状及び配置での結合器対の結合の強さについて考察する。
【００１３】
まず、送受用の結合器対が、いずれもＧＮＤ基板上に設けられた給電点から延長される、共振周波数f0で共振する開放端線路で構成されると仮定する。この結合器は、給電点に近づくほど電流振幅が大きく（電流振幅の腹に近づく）、端部に近づくほど電流振幅が小さくなる（電流振幅の節に近づく）電流分布を持つ。この結合器対を強く結合させるための配置が、図１に示されている。尚、便宜上、以降の説明において、各図面中の上側に描かれる結合器を第１の結合器、下側に描かれる結合器を第２の結合器と夫々称することがある。図１の例では、第１の結合器の電流振幅の腹と第２の結合器の電流振幅の節、第１の結合器の電流振幅の節と第２の結合器の電流振幅の腹が近接している。また、結合器の向きを給電点から線路開放端へ向かう方向とした場合、第１の結合器の向きと、第２の結合器の向きが反対になる。このような位置関係では、結合器対は共振周波数f0付近の帯域において強く結合する。
【００１４】
図１の例において、第１の結合器を線路の中点付近を軸に１８０度回転させると、結合器対は図２に示す配置となる。図２の例では、第１の結合器の電流振幅の腹と第２の結合器の電流振幅の腹、第１の結合器の電流振幅の節と第２の電流振幅の節が近接しており、第１の結合器の向きと、第２の結合器の向きとが同方向になる。このような位置関係では結合器対の結合は非常に弱い。また、図１の例において、第１の結合器を端部または給電点を軸に２７０度（または９０度）回転させると、結合器対は図３または図４に示す配置となる。図３及び図４の例では、第１の結合器の向きと、第２の結合器の向きとが直交しているため、図２の例に比べると結合は強いものの、図１の例に比べると結合が弱いと予想される。
【００１５】
図５は、図１、図２、図３及び図４に対応するＳ２１パラメータのシミュレーション結果を示している。具体的には、図１に対応するＳ２１パラメータは曲線１１、図２に対応するＳ２１パラメータは曲線１２、図３に対応するＳ２１パラメータは曲線１３、図４に対応するＳ２１パラメータは曲線１４で描かれている。図５から明らかなように、図１の例での結合が最も強く、図２の例での結合が最も弱い。
【００１６】
図１の例において、第１の結合器をオフセットさせると、結合器対は図６または図７に示す配置となる。図６及び図７の例では、図１の例と比べると第１の結合器と第２の結合器との間の距離が離れているので、結合の強さはやや劣るとも予想される。図８は、図１、図６及び図７に対応するＳ２１パラメータのシミュレーション結果を示している。具体的には、図１に対応するＳ２１パラメータは曲線２１、図６に対応するＳ２１パラメータは曲線２２、図７に対応するＳ２１パラメータは曲線２３で描かれている。図８から明らかなように、図６及び図７の例では、図１の例に比べるとやや劣るものの強く結合する。
【００１７】
図１に示す形状及び配置において、第１の結合器における線路と、第２の結合器における線路とを両者が反対方向を向くように中点付近で夫々折り曲げると、結合器対は図９に示す形状及び配置となる。一方、図１に示す形状及び配置において、第１の結合器における線路と、第２の結合器における線路とを両者が同一方向を向くように中点付近で夫々折り曲げると、結合器対は図１０に示す形状及び配置となる。図９及び図１０のいずれの例においても、結合器は、給電点に近づくほど電流振幅が大きく、端部に近づくほど電流振幅が小さくなる電流分布を持つ。図１１は、図１、図９及び図１０に対応するＳ２１パラメータのシミュレーション結果を示している。具体的には、図１に対応するＳ２１パラメータは曲線３１、図９に対応するＳ２１パラメータは曲線３２、図１０に対応するＳ２１パラメータは曲線３３で描かれている。図１１から明らかなように、図１０の例での結合の強さは、図９の例とあまり変わらない。このことから、電流振幅の大きい部分の向きに比べて、電流振幅の小さい部分の向きが結合の強さに与える影響は小さいと考えられる。
【００１８】
図２の例において、第２の結合器に追加線路を設けると、結合器対は図１２に示す形状及び配置となる。この追加線路は、原線路と反対方向に延長される開放端線路である。この第２の結合器は、給電点に近づくほど電流振幅が大きく（電流振幅の腹に近づく）、原線路の端部及び追加線路の端部に近づくほど電流振幅が小さくなる（電流振幅の節に近づく）電流分布を持つ。図１２の例において、第１の結合器の線路と第２の結合器の原線路との位置関係は、図２の例に類似する。一方、図１２の例において、第１の結合器の線路と第２の結合器の追加線路との位置関係は、図６の例に類似する。また、第１の結合器を給電点を軸に１８０度回転させたとしても、同様の位置関係が成立する。従って、図１２の例によれば、図２の例よりも結合が強くなると考えられる。
【００１９】
また、図１２の例において、第１の結合器にも第２の結合器と同様の追加線路を設けると、結合器対は図１３に示す形状及び配置となる。図１３の例において、第１の結合器の原線路と第２の結合器の原線路との位置関係は図２の例に類似し、第１の結合器の原線路と第２の結合器の追加線路との位置関係は図６の例に類似する。一方、第１の結合器の追加線路と第２の結合器の原線路との位置関係は図６の例に類似し、第１の結合器の追加線路と第２の結合器の追加線路との位置関係は図２の例に類似する。また、第１の結合器を給電点を中心に１８０度回転させたとしても、同様の位置関係が成立する。従って、図１３の例によれば、図２の例よりも結合が強くなると予想される。
【００２０】
図１４は、図６、図２、図１２及び図１３に対応するＳ２１パラメータのシミュレーション結果を示している。具体的には、図６に対応するＳ２１パラメータは曲線４１、図２に対応するＳ２１パラメータは曲線４２、図１２に対応するＳ２１パラメータは曲線４３、図１３に対応するＳ２１パラメータは曲線４４で描かれている。図１４から明らかなように、図１２及び図１３の例に示す位置関係は図２の例に示す位置関係に比べ結合器対は強く結合する。
【００２１】
以上の考察に基づいて、オフセット時または回転時においても安定的に強く結合可能な結合器の構成を検討する。まず、結合器対の間で、互いの電流分布の節と腹、腹と節が近接し、給電点から線路開放端へ向かう方向を線路の向きとした場合、その向きが逆の方向を向いていることが、結合を強くするために重要であると考えられる。即ち、このような結合器対の良好な位置関係を、オフセット時または回転時においても安定的に維持できることが望ましい。回転時に、結合器対の良好な位置関係を維持するための構成として、一点から複数の線路を放射状に延長させることが考えられる。このような構成によれば、線路の収束点を軸に結合器を回転させたときに、放射状に設けられた線路のいずれかが、相手の結合器と例えば前述の図１、図６、図７、図１２、図１３などに類似した良好な位置関係を形成する可能性が高い。更に、結合器がオフセットしたときにも、放射状に設けられた線路のいずれかが、相手の結合器と例えば前述の図１、図６、図７などに類似した良好な位置関係を形成する可能性が高い。また、入力インピーダンスを増大させるために、短絡点を１つまたは複数設けることが望ましいと考えられる。更に、実装（特に配線）上の観点からすると、給電点及び短絡点は、結合器の端部周辺に設けたほうがよい。また、回転時における特性のばらつきを抑制する観点からすると、結合器の形状は、この線路の収束点に関して対称であることが望ましいと考えられる。
【００２２】
以下、本実施形態に係る結合器の構成を一般化して述べる。本実施形態に係る結合器は、多角形（望ましくは正多角形）の頂点に対応する位置に１つの給電点と、残りの頂点に対応する位置に１つまたは複数の短絡点を有する。例えば、結合器は、正方形の頂点に対応する位置に１つの給電点を有し、残りの３つの頂点に対応する位置に３つの短絡点を有する。尚、給電点及び短絡点は、実装上の観点から、結合器の端部周辺に設けた方がよい。即ち、上記多角形の各頂点が結合器の端部に接することが望ましい。結合器は、給電点及び短絡点から、上記多角形の重心に向かって延長される線路を有し、これらの線路は上記重心に対応する位置に設けられる合流点で合流する。また、結合器は、合流点から更に延長される複数の合流線路を備えてもよい。これら複数の合流線路は、合流点から放射状に延長されることが望ましい。結合器の形状を合流点に関して対称にするために、合流線路は、例えば給電点または短絡点から合流点への線路が作る角を２等分するように延長されてもよい。この場合、給電点及び隣接する短絡点の位置は、対応する合流線路に関して対称となる。また、隣接する２つの短絡点の位置も、対応する合流線路に関して対称となる。更に、各合流線路の先端から更に分岐線路が延長されてよい。この分岐線路は、例えば合流線路の先端から給電点または短絡点に向かって直線状または曲線状に延長される。給電点または短絡点から線路、合流点及び合流線路（或いは、更に分岐線路を）経由して端部に至るまでの電気長の和は、結合器の搬送波の１／４波長の整数倍に等しいことが望ましい。
【００２３】
本実施形態に係る結合器の一例を図１５に示す。図１５の結合器１００は、ＧＮＤ基板上で正方形の１つの頂点に対応する位置に配置される給電点１０１と、ＧＮＤ基板上で上記正方形のその他の頂点に対応する位置に配置される３つの短絡点（短絡点１０２など）とを含む。結合器１００は、給電点１０１から上記正方形の重心に向かって延長される線路１０３と、３つの短絡点から上記正方形の重心に向かって延長される３つの線路（線路１０４など）とを含む。結合器１００は、上記４つの線路の合流点１０５から延長される４つの合流線路（合流線路１０６など）を含む。結合器１００は、４つの合流線路の先端から更に延長される分岐線路（分岐線路１０７、１０８など）を含む。尚、給電点１０１または短絡点（短絡点１０２など）から線路（線路１０３または線路１０４など）、合流点１０５、合流線路（合流線路１０６など）及び分岐線路（分岐線路１０７、１０８など）を経由して端部に至るまでの電気長の合計は、結合器１００の搬送波の１／４波長の整数倍に等しい。尚、図１５は、ＧＮＤ基板上に図１６に示されるように実装される結合器の表面における配線パターンを示している。
【００２４】
結合器１００の各線路の向きを給電点もしくは短絡点から線路開放端と考えた場合に、各線路の向きを図１７に示す。尚、図１７において矢印は、線路の向き及び線路に流れる電流の振幅を概念的に表している。具体的には、結合器１００の電流分布は、給電点１０１または短絡点に近づくほど電流振幅が大きく、端部に近づくほど電流振幅が小さくなる。尚、結合器１００の電流分布は、合流点に関して概ね対称である。結合器１００と同じ形状の結合器対は、オフセット時において、例えば図１８に示されるように結合する。図１８の例では、一方の結合器の短絡点と、他方の結合器の給電点とが近接している。即ち、一方の結合器における短絡点から合流点への線路と、他方の結合器における給電点から合流点への線路とが、前述の図６に類似した位置関係を形成する。両線路は、電流振幅が大きく、かつ、線路の向きが反対である。従って、結合器１００と同じ形状の結合器対は、オフセット時においても安定的に強く結合すると予想される。
【００２５】
図１９は、オフセット時における結合器対の結合のシミュレーション条件の一例を示している。具体的には、このシミュレーション条件において、結合器はf1付近の帯域（そのときの波長λ）で共振するように設計されており、結合器の寸法は略0.2λ角、結合器の厚さは略0.02λ、結合器間の距離（垂直方向）は略0.2λ、オフセット距離（水平方向）は略0.2λに夫々設定されている。また、結合器対の形状は同一であるとする。このシミュレーション条件下で、結合器１００と同一形状の結合器対のＳ２１パラメータを解析した。図２０において、破線は通常（即ち、オフセットなし）時におけるＳ２１パラメータ、実線はオフセット時におけるＳ２１パラメータを夫々描いている。f1付近の帯域でS21の値が大きくなっており、結合器対が強く結合していることが分かる。
【００２６】
図２１は、回転時における結合器対の結合のシミュレーション条件の一例を示している。具体的には、このシミュレーション条件において、結合器の寸法は略0.2λ角、結合器の厚さは略0.02λ、結合器間の距離（垂直方向）は略0.2λに夫々設定されている。また、結合器対の形状は同一であるとする。このシミュレーション条件下で、結合器１００と同一形状の結合器対についてＳ２１パラメータを解析した。このシミュレーションでは、一方の結合器の中心を軸に特定角度（以下、回転角と称する）回転させる。図２２において、曲線６１は回転角０度（回転なし）におけるＳ２１パラメータ、曲線６２は回転角１８０度におけるＳ２１パラメータ、曲線６３は回転角９０度（または２７０度）におけるＳ２１パラメータを夫々描いている。図２２から明らかなように、この結合器対は、９０度単位の回転時において、f1付近の帯域におけるＳ２１パラメータのばらつきが少なく、安定的に強く結合する。
【００２７】
本実施形態に係る結合器の別の例を図２３に示す。図２３の結合器２００は、ＧＮＤ基板上で正方形の１つの頂点に対応する位置に配置される給電点２０１と、ＧＮＤ基板上で上記正方形のその他の頂点に対応する位置に配置される３つの短絡点（短絡点２０２など）とを含む。結合器２００は、給電点２０１から上記正方形の重心に向かって延長される線路２０３と、３つの短絡点から上記正方形の重心に向かって延長される３つの線路（線路２０４など）とを含む。結合器２００は、上記４つの線路の合流点２０５から延長される４つの合流線路（合流線路２０６など）を含む。結合器２００は、４つの合流線路の先端から更に延長される分岐線路（分岐線路２０７、２０８など）を含む。尚、給電点２０１または短絡点（短絡点２０２など）から線路（線路２０３または線路２０４など）、合流点２０５、合流線路（合流線路２０６など）及び分岐線路（分岐線路２０７、２０８など）を経由して端部に至るまでの電気長の合計は、結合器２００の搬送波の１／４波長の整数倍に等しい。尚、図２３は、ＧＮＤ基板上に図１６に示されるように実装される結合器の表面における配線パターンを示している。
【００２８】
結合器２００の電流分布は、給電点２０１または短絡点に近づくほど電流振幅が大きく、端部に近づくほど電流振幅が小さくなる。尚、結合器２００の電流分布は、合流点に関して概ね対称である。結合器２００と同じ形状の結合器対は、オフセット時において、例えば図２４に示されるように結合する。図２４の例では、一方の結合器の合流線路の先端と、他方の結合器の合流線路の先端とが近接している。即ち、両線路は、前述の図７に類似した位置関係を形成する。両線路は、電流振幅が大きく、かつ、給電点から開放端に向かう線路の向きが互いに逆方向を向いている。従って、結合器２００と同じ形状の結合器対は、オフセット時においても安定的に強く結合すると予想される。
【００２９】
図１９のシミュレーション条件下で、オフセット時における、結合器２００と同一形状の結合器対のＳ２１パラメータを測定した。図２５において、曲線７１は結合器１００と同一形状の結合器対のＳ２１パラメータ、曲線７２は結合器２００と同一形状の結合器対のＳ２１パラメータを夫々描いている。図２５から明らかなように、結合器２００は、結合器の外形寸法を同じにした場合、結合器１００に比べて低い周波数帯域で共振し、その帯域において強く結合する。
【００３０】
以上説明したように、本実施形態に係る結合器は、一点から放射状に延長される複数の線路を備えている。従って、本実施形態に係る結合器によれば、オフセット時または回転時においても上記複数の線路のいずれかが、相手の結合器と良好な位置関係を形成する可能性が高く、安定的に強く結合できる。また、本実施形態に係る結合器は、電界結合型の標準的な結合器とも強く結合するし、同一形状の磁界結合型の結合器とも強く結合する。
【００３１】
尚、本実施形態に係る結合器の利点は、前述の例示的な形状から一部の要素を除去したとしても部分的に享受できる。例えば、図２６Ａに示すように、結合器１００から１つの合流線路及び対応する分岐線路を除去してもよい。また、図２６Ｂに示すように、図２６Ａの結合器から、１つの合流線路及び対応する分岐線路を更に除去してもよい。また、図２６Ｃに示すように、図２６Ｂの結合器から、１つの短絡点及び対応する線路と、１つの合流線路及び対応する分岐線路とを更に除去してもよい。また、図２６Ｄに示すように、図２６Ｃの結合器から、１つの短絡点及び対応する線路と、１つの合流線路及び対応する分岐線路とを更に除去してもよい。これらの要素の除去により、結合器を小型化しやすくなる。
【００３２】
また、本実施形態に係る結合器は、例えば図２７に示すような無線通信装置（例えば、携帯電話機、ＰＣなど）において無線信号の送受信のために使用可能である。図２７の無線通信装置は、アンテナ３００、無線部３０１、信号処理部３０２、制御部３０５、表示制御部３０６、表示部３０７、記憶部３０８、入力部３０９、Ｉ／Ｆ３１０、リムーバブルメディア３１１を有する。
【００３３】
アンテナ３００は、本実施形態に係る結合器によって構成される。アンテナ３００は、磁界結合によって例えばTransferJetなどの超近距離無線通信を行う。無線部３０１は、制御部３０５からの指示に従って動作し、信号処理部３０２から出力される送信信号を無線周波数帯にアップコンバートし、アンテナ３００を介して相手のアンテナ（結合器）に送信したり、上記相手のアンテナから送信された無線信号をアンテナ３００を介して受信してベースバンド信号にダウンコンバートしたりする。
【００３４】
信号処理部３０２は、制御部３０５からの送信データに基づいて搬送波を変調して上記送信信号を生成したり、無線部３０１から入力される上記ベースバンド信号を復調して受信データを得て制御部３０５に入力したりする。制御部３０５は、例えばＣＰＵなどのプロセッサを備え、図２７の通信装置の各構成要素を統括制御する。
【００３５】
記憶部３０８には、ＲＡＭ（Random Access Memory）やＲＯＭ（Read Only Memory）、ハードディスクなどの記憶媒体であって、制御部３０５の制御プログラムや制御データ、ユーザが作成した種々のデータ、リムーバブルメディア３１１に関わる制御データなどを記憶する。表示制御部３０６は、制御部３０５からの指示に従って、表示部３０７を駆動制御し、制御部３０５から与えられる表示データに基づく画像信号を表示部３０７に表示させる。入力部３０９は、複数のキースイッチ（例えば、いわゆるテンキー(numeric keypad)）やタッチパネルなどの入力デバイスを用いて、ユーザからの要求を受理するユーザインタフェースを含む。インタフェース（Ｉ／Ｆ）３１０は、リムーバブルメディア３１１を物理的及び電気的に接続して、データ交換を行うためのインタフェースであって、制御部３０５によって制御される。
【００３６】
図２７の無線通信装置は、例えば記憶部３０８またはリムーバブルメディア３１１に保存されたコンテンツを超近距離無線通信手段によって相手に送信したり、相手から超近距離無線通信手段によって受信したコンテンツを記憶部３０８またはリムーバブルメディア３１１に保存させたり、表示部３０７に表示させたりする。
【００３７】
尚、本発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。
【符号の説明】
【００３８】
１００・・・結合器
１０１・・・給電点
１０２・・・短絡点
１０３，１０４・・・線路
１０５・・・合流点
１０６・・・合流線路
１０７，１０８・・・分岐線路
２００・・・結合器
２０１・・・給電点
２０２・・・短絡点
２０３，２０４・・・線路
２０５・・・合流点
２０６・・・合流線路
２０７，２０８・・・分岐線路
３００・・・アンテナ
３０１・・・無線部
３０２・・・信号処理部
３０５・・・制御部
３０６・・・表示制御部
３０７・・・表示部
３０８・・・記憶部
３０９・・・入力部
３１０・・・Ｉ／Ｆ
３１１・・・リムーバブルメディア
【図１】
2011120117.tif 000003
【図２】
2011120117.tif 000004
【図３】
2011120117.tif 000005
【図４】
2011120117.tif 000006
【図５】
2011120117.tif 000007
【図６】
2011120117.tif 000008
【図７】
2011120117.tif 000009
【図８】
2011120117.tif 000010
【図９】
2011120117.tif 000011
【図１０】
2011120117.tif 000012
【図１１】
2011120117.tif 000013
【図１２】
2011120117.tif 000014
【図１３】
2011120117.tif 000015
【図１４】
2011120117.tif 000016
【図１５】
2011120117.tif 000017
【図１６】
2011120117.tif 000018
【図１７】
2011120117.tif 000019
【図１８】
2011120117.tif 000020
【図１９】
2011120117.tif 000021
【図２０】
2011120117.tif 000022
【図２１】
2011120117.tif 000023
【図２２】
2011120117.tif 000024
【図２３】
2011120117.tif 000025
【図２４】
2011120117.tif 000026
【図２５】
2011120117.tif 000027
【図２６Ａ】
2011120117.tif 000028
【図２６Ｂ】
2011120117.tif 000029
【図２６Ｃ】
2011120117.tif 000030
【図２６Ｄ】
2011120117.tif 000031
【図２７】
2011120117.tif 000032